(57)【特許請求の範囲】
【請求項１】
ＵＳＢ規格に準拠した標準ＵＳＢプラグには設けられていない相手側接触部を有する特殊ＵＳＢプラグと、前記標準ＵＳＢプラグ及び前記特殊ＵＳＢプラグを所定方向に沿って選択的に嵌合抜去可能なＵＳＢレセプタクルとを備えるＵＳＢコネクタであって、
前記ＵＳＢレセプタクルは、
夫々接点部を有し且つＵＳＢ２．０規格に従った複数のコンタクトと、
主面を有する板状部を有すると共に、前記複数のコンタクトの前記接点部を前記板状部の前記主面から突出させた状態で前記複数のコンタクトを前記所定方向と直交する幅方向において保持する保持部材と、
前記ＵＳＢレセプタクルに前記特殊ＵＳＢプラグを嵌合した際に前記相手側接触部に接触する検知接点部を有し且つ前記検知接点部が前記板状部の前記主面から突出した状態で前記保持部材に保持された検知ピンと
を備えており、
前記複数のコンタクトには、グランドコンタクトが含まれており、
前記検知接点部と前記グランドコンタクトの前記接点部との間の距離は、前記検知接点部と前記グランドコンタクト以外の前記コンタクトの前記接点部との間の距離よりも短く、
前記特殊ＵＳＢプラグは、前記グランドコンタクトと接続する相手側グランドコンタクトを備えており、
前記相手側グランドコンタクトは、ＵＳＢ２．０規格に従ったＵＳＢプラグ用のグランドコンタクトよりも幅広であり、前記ＵＳＢレセプタクルと嵌合した際に前記検知接点部とも接続されるものであり、
前記相手側接触部は前記相手側グランドコンタクトの一部からなる
ＵＳＢコネクタ。
【請求項２】
請求項１記載のＵＳＢコネクタであって、
前記保持部材は、前記複数のコンタクトと前記検知ピンとを前記幅方向において並置するように保持している
ＵＳＢコネクタ。
【請求項３】
請求項１又は請求項２記載のＵＳＢコネクタであって、
前記複数のコンタクトには、電源コンタクト及びグランドコンタクトが含まれており、
前記検知ピンを用いて前記ＵＳＢレセプタクルに嵌合したＵＳＢプラグが特殊ＵＳＢプラグであったことを検知した際には、前記電源コンタクト及び前記グランドコンタクトを用いて、前記ＵＳＢレセプタクルに前記標準ＵＳＢプラグが嵌合したときよりも大きな電力を前記特殊ＵＳＢプラグ側に伝送する
ＵＳＢコネクタ。
【請求項４】
請求項１又は請求項２記載のＵＳＢコネクタであって、
前記検知ピンの幅は前記コンタクトの幅より小さい
ＵＳＢコネクタ。
【請求項５】
請求項１乃至請求項４記載のＵＳＢコネクタであって、
前記ＵＳＢレセプタクルは、ＵＳＢ３．０規格に従った複数の付加的なコンタクトを更に備えており、
前記保持部材は、前記複数の付加的なコンタクトも保持している
ＵＳＢコネクタ。
【発明の詳細な説明】
【技術分野】
【０００１】
本発明は、少なくとも２種のＵＳＢ（Universal Serial Bus）プラグと嵌合可能なＵＳＢレセプタクルであって嵌合されたＵＳＢプラグのタイプを識別するための検知機構を備えるＵＳＢレセプタクルと、そのＵＳＢレセプタクルに嵌合可能な特殊ＵＳＢプラグとを備えるＵＳＢコネクタに関する。
【背景技術】
【０００２】
ＵＳＢ規格に基づいたＵＳＢレセプタクルとＵＳＢプラグとの接続状態を検知するための検知機構をＵＳＢレセプタクルに設けたものとしては、例えば、特許文献１及び特許文献２に開示されたものがある。
【０００３】
ＵＳＢ規格に従ったコンタクトの他に、電力伝送用のコンタクトを別途有するものとしては、例えば、特許文献３に開示されたものがある。
【先行技術文献】
【特許文献】
【０００４】
【特許文献１】特開２００５−２４２４７６号公報
【特許文献２】登録実用新案公報第３１７２１８８号公報
【特許文献３】特開２００３−１９７３０２号公報
【発明の概要】
【発明が解決しようとする課題】
【０００５】
特許文献１及び特許文献２では、ＵＳＢレセプタクルに複数種のＵＳＢプラグを嵌合できるわけではないし、また、いずれの種のＵＳＢプラグが嵌合されたか検知可能なわけでもない。
【０００６】
例えば、最近では、ＵＳＢレセプタクルに対して規格に基づいた標準的なＵＳＢプラグ（標準ＵＳＢプラグ）だけでなく、それを変形して構成された特殊なＵＳＢプラグ（特殊ＵＳＢプラグ）も接続可能とし、ＵＳＢレセプタクルに標準ＵＳＢプラグが接続された際の動作とＵＳＢレセプタクルに特殊ＵＳＢプラグが接続された際の動作とを異ならせたいという要求があるが、特許文献１及び特許文献２のＵＳＢレセプタクルでは、かかる要求に応えることができない。
【０００７】
具体的には、大きな電力を要しないデバイスに対して大きな電力を供給するとそのデバイスを損傷しかねない一方で、外付けのハードディスクドライブのようなデバイスの場合、バスパワー方式で比較的大きな電力をデバイス側に供給しなければ動作しない。かかる要求を一つのＵＳＢレセプタクルで満たすには、例えば、必要とされる電力に応じてデバイスを複数のグループに分類し、各グループに対して異なるＵＳＢプラグを割り当てられれば供給電力の制御も可能となる。
【０００８】
なお、特許文献３においては、ＵＳＢレセプタクルの電力伝送用のコンタクトをＵＳＢプラグの電力伝送用のコンタクトのエッジ（側縁）に接触させることで電力伝送を行うこととしており、電力伝送用のコンタクト間の接触面積が極めて小さい。このように、信号コンタクト間の接触面積よりも電力伝送用のコンタクト間の接触面積が小さいといった構造では、現実には機能しない。従って、特に、供給電力の制御の問題には、より現実的なアプローチが求められている。
【０００９】
そこで、本発明は、接続されたＵＳＢプラグが標準ＵＳＢプラグか特殊ＵＳＢプラグであるかを識別・検知可能なＵＳＢレセプタクル（特に、実現可能な供給電力の制御に供し得る構造を有するＵＳＢレセプタクル）と、特殊ＵＳＢプラグとを備えるコネクタを提供することを目的とする。
【課題を解決するための手段】
【００１０】
本発明は、第１のＵＳＢコネクタとして、
ＵＳＢ規格に準拠した標準ＵＳＢプラグには設けられていない相手側接触部を有する特殊ＵＳＢプラグと、前記標準ＵＳＢプラグ及び前記特殊ＵＳＢプラグを所定方向に沿って選択的に嵌合抜去可能なＵＳＢレセプタクルとを備えるＵＳＢコネクタであって、
前記ＵＳＢレセプタクルは、
夫々接点部を有し且つＵＳＢ２．０規格に従った複数のコンタクトと、
主面を有する板状部を有すると共に、前記複数のコンタクトの前記接点部を前記板状部の前記主面から突出させた状態で前記複数のコンタクトを前記所定方向と直交する幅方向において保持する保持部材と、
前記ＵＳＢレセプタクルに前記特殊ＵＳＢプラグを嵌合した際に前記相手側接触部に接触する検知接点部を有し且つ前記検知接点部が前記板状部の前記主面から突出した状態で前記保持部材に保持された検知ピンと
を備えており、
前記複数のコンタクトには、グランドコンタクトが含まれており、
前記検知接点部と前記グランドコンタクトの前記接点部との間の距離は、前記検知接点部と前記グランドコンタクト以外の前記コンタクトの前記接点部との間の距離よりも短く、
前記特殊ＵＳＢプラグは、前記グランドコンタクトと接続する相手側グランドコンタクトを備えており、
前記相手側グランドコンタクトは、ＵＳＢ２．０規格に従ったＵＳＢプラグ用のグランドコンタクトよりも幅広であり、前記ＵＳＢレセプタクルと嵌合した際に前記検知接点部とも接続されるものであり、
前記相手側接触部は前記相手側グランドコンタクトの一部からなる
ＵＳＢコネクタを提供する。
【００１１】
また、本発明は、第２のＵＳＢコネクタとして、第１のＵＳＢコネクタであって、
前記保持部材は、前記複数のコンタクトと前記検知ピンとを前記幅方向において並置するように保持している
ＵＳＢコネクタを提供する。
【００１２】
また、本発明は、第３のＵＳＢコネクタとして、第１又は第２のＵＳＢコネクタであって、
前記複数のコンタクトには、電源コンタクト及びグランドコンタクトが含まれており、
前記検知ピンを用いて前記ＵＳＢレセプタクルに嵌合したＵＳＢプラグが特殊ＵＳＢプラグであったことを検知した際には、前記電源コンタクト及び前記グランドコンタクトを用いて、前記ＵＳＢレセプタクルに前記標準ＵＳＢプラグが嵌合したときよりも大きな電力を前記特殊ＵＳＢプラグ側に伝送する
ＵＳＢコネクタを提供する。
【００１３】
また、本発明は、第４のＵＳＢコネクタとして、第１又は第２のＵＳＢコネクタであって、
前記検知ピンの幅は前記コンタクトの幅より小さい
ＵＳＢコネクタを提供する。
【００１４】
また、本発明は、第５のＵＳＢコネクタとして、第１乃至第４のいずれかのＵＳＢコネクタであって、
ＵＳＢ３．０規格に従った複数の付加的なコンタクトを更に備えており、
前記保持部材は、前記複数の付加的なコンタクトも保持している
ＵＳＢコネクタを提供する。
【発明の効果】
【００１５】
本発明によるＵＳＢレセプタクルの検知ピンの検知接点部は、ＵＳＢ２．０規格に従ったコンタクトの接点部と同方向に突出している。そのため、本発明によるＵＳＢレセプタクルに対して、特殊ＵＳＢプラグを嵌合した場合には、特殊ＵＳＢプラグの相手側接触部とＵＳＢレセプタクルの検知ピンの検知接点部とが接触導通する一方、本発明によるＵＳＢレセプタクルに対して、標準ＵＳＢプラグを嵌合した場合、標準ＵＳＢプラグにはＵＳＢレセプタクルの検知ピンの検知接点部と導通する部位がない。従って、検知ピンが相手側接触部と導通するか否かをもって、ＵＳＢレセプタクルに嵌合したＵＳＢプラグが標準ＵＳＢプラグであるのか特殊ＵＳＢプラグであるのかを識別・検知することができる。
【図面の簡単な説明】
【００１６】
【図１】本発明の実施の形態によるＵＳＢレセプタクルを示す斜視図である。
【図２】図１のＵＳＢレセプタクルを構成するシェル及びコネクタ本体を示す斜視図である。
【図３】図２のコネクタ本体を示す分解斜視図である。
【図４】図２のコネクタ本体を示す斜視図である。図において、第２部材は省略されている。
【図５】本発明の実施の形態による特殊ＵＳＢプラグを示す斜視図である。
【図６】図５の特殊ＵＳＢプラグを示す他の斜視図である。図において、特殊ＵＳＢプラグのシェルは省略されている。
【図７】図１のＵＳＢレセプタクルと図５の特殊ＵＳＢプラグとを示す上面図である。図において、ＵＳＢレセプタクルのシェル、第１部材及び付加的なコンタクトは省略されており、特殊ＵＳＢプラグのシェルも省略されている。
【発明を実施するための形態】
【００１７】
図１及び図２に示される本発明の実施の形態によるＵＳＢレセプタクル１００は、標準ＵＳＢプラグ（図示せず）と特殊ＵＳＢプラグ５００（図５及び図６参照）とをＵＳＢプラグとしてＸ方向（所定方向）に沿って選択的に嵌合抜去可能なものである。本実施の形態においては、説明の都合上、Ｘ方向（所定方向）においてＵＳＢレセプタクル１００の嵌合端側を前側、その反対側を後側と規定する。この規定によれば、＋Ｘ方向が「前方」となり、−Ｘ方向が「後方」となる。また、本実施の形態によるＵＳＢレセプタクル１００は、−Ｘ方向（即ち、後方）に向けて挿入されたＵＳＢプラグと嵌合するものである。即ち、ＵＳＢレセプタクル１００に対するＵＳＢプラグの挿入方向は−Ｘ方向であり、ＵＳＢレセプタクル１００からＵＳＢプラグを抜去する際の抜去方向は＋Ｘ方向である。
【００１８】
標準ＵＳＢプラグ（図示せず）は、ＵＳＢ２．０規格やＵＳＢ３．０規格に準拠した構造を有するＵＳＢプラグ（即ち、ＵＳＢ２．０プラグやＵＳＢ３．０プラグ）である。一方、図５及び図６に示されるように、特殊ＵＳＢプラグ５００は、標準ＵＳＢプラグを変形して得られるものであり、標準ＵＳＢプラグには設けられていない相手側接触部を有するものである。本実施の形態における特殊ＵＳＢプラグ５００は、ＵＳＢ３．０プラグを変形してなるものである。
【００１９】
詳しくは、図５及び図６に示されるように、特殊ＵＳＢプラグ５００は、金属製のシェル５２０と、導電体からなるＵＳＢ２．０用の複数のコンタクト５３０と、導電体からなるＵＳＢ３．０用の複数のコンタクト５４０と、コンタクト５３０及びコンタクト５４０を保持する絶縁体からなる保持部材５５０とを備えている。保持部材５５０は、板状部５５５を有している。コンタクト５３０及びコンタクト５４０は、それらの一部を板状部５５５の主面５５７上に露出させた状態で、保持部材５５０に保持されている。シェル５２０は、Ｘ方向と直交するＹＺ平面内において、コンタクト５３０及びコンタクト５４０を保持した状態の保持部材５５０を囲っている。
【００２０】
図６に最もよく示されているように、コンタクト５３０には、電源コンタクト５３０ｐと特殊グランドコンタクト５３０ｇとが含まれている。これらは、標準ＵＳＢプラグの電源コンタクト及びグランドコンタクトに対応している。詳しくは、電源コンタクト５３０ｐは、標準ＵＳＢプラグ（図示せず）の電源コンタクトと同一の形状・構造を有し且つ同一の位置に設けられている。一方、特殊グランドコンタクト５３０ｇは、標準ＵＳＢプラグ（図示せず）のグランドコンタクトよりもＹ方向（幅方向）において大きなサイズを有しており（幅広であり）、標準ＵＳＢプラグ（図示せず）のグランドコンタクトが設けられる位置をカバーするように設けられている。本実施の形態による特殊グランドコンタクト５３０ｇは、標準ＵＳＢプラグ（図示せず）のグランドコンタクトの２倍以上の幅を有している。本実施の形態においては、この特殊グランドコンタクト５３０ｇの一部が前述の相手側接触部として機能する。
【００２１】
図１及び図２を参照すると、本実施の形態によるＵＳＢレセプタクル１００は、ＵＳＢ２．０規格やＵＳＢ３．０規格に準拠した構造を有するＵＳＢレセプタクル（即ち、ＵＳＢ２．０レセプタクルやＵＳＢ３．０レセプタクル）を変形してなるものである。特に、本実施の形態によるＵＳＢレセプタクル１００は、ＵＳＢ３．０レセプタクルに対して検知ピン２００を組み込んだものである。詳しくは、ＵＳＢレセプタクル１００は、コネクタ本体１１０と、Ｘ方向と直交するＹＺ平面内においてコネクタ本体１１０を囲う金属製のシェル１２０とを備えている。図３に示されるように、コネクタ本体１１０は、導電体からなるＵＳＢ２．０規格に従った複数のコンタクト１３０と、導電体からなるＵＳＢ３．０規格に従った複数の付加的なコンタクト１４０と、絶縁体からなる保持部材１５０と、導電体からなる検知ピン２００とを備えている。
【００２２】
図３に示されるように、本実施の形態による保持部材１５０は、第１部材１６０及び第２部材１７０を組み合わせてなるものである。第１部材１６０は、主として、コンタクト１３０、付加的なコンタクト１４０及び検知ピン２００を保持するためのものである。一方、第２部材１７０は、コンタクト１３０等の位置決めを行うためのものである。第１部材１６０は、後端（−Ｘ側端部）を構成する直方体ブロック状の固定部１６２と、固定部１６２から前方（＋Ｘ方向）に向かって延びる板状部１６５とを有している。図４に示されるように、板状部１６５の主面（下面）１６７には、コンタクト１３０及び検知ピン２００を部分的に収容する収容溝１６８及び収容溝１６９が形成されている。図３に示されるように、第２部材１７０は、コンタクト１３０等を整列保持するロケータ部１７２を後端側に有している。ロケータ部１７２には、Ｚ方向（上下方向：垂直方向）において第２部材１７０を貫通する位置決め孔１７４が形成されている。
【００２３】
図３及び図４から理解されるように、付加的なコンタクト１４０は、第１部材１６０の成型時にインサートモールド法によって第１部材１６０に組み込まれている。これにより、付加的なコンタクト１４０の接点部１４２は、板状部１６５の主面１６７の前端（＋Ｘ側端部）側において露出しており、付加的なコンタクト１４０の端子部１４８は、第１部材１６０の後端（−Ｘ側端部）側から下方（−Ｚ方向）に向かって延びている。
【００２４】
一方、コンタクト１３０及び検知ピン２００は、第１部材１６０の成型後に第１部材１６０に対して圧入されている。図３に示されるように、詳しくは、複数のコンタクト１３０には、グランドコンタクト１３０ｇ及び電源コンタクト１３０ｐが含まれており、且つ、各コンタクト１３０は、接点部１３２と、弾性を有し且つ接点部１３２を支持するバネ部１３４と、第１部材１６０の固定部１６２に圧入固定される被固定部１３６と、端子部１３８とを有している。同様に、図３に示されるように、検知ピン２００は、検知接点部２０２と、弾性を有し且つ検知接点部２０２を支持するバネ部２０４と、第１部材１６０の固定部１６２に圧入固定される被固定部２０６と、端子部２０８とを有している。
【００２５】
図４に示されるように、被固定部１３６及び被固定部２０６の固定部１６２への圧入により、コンタクト１３０と検知ピン２００とがＹ方向（幅方向）において並置するように保持部材１５０（第１部材１６０）に保持され、それにより、端子部１３８及び端子部２０８は、第１部材１６０の後端（−Ｘ側端部）側から下方（−Ｚ方向）に向かって延びている。図３から理解されるように、これら端子部１３８及び端子部２０８と付加的なコンタクト１４０の端子部１４８は、第２部材１７０のロケータ部１７２に設けられた位置決め孔１７４に挿入されＸＹ平面内において整列させられる。
【００２６】
図４を再び参照すると、被固定部１３６及び被固定部２０６の固定部１６２への圧入により、バネ部１３４及びバネ部２０４は収容溝１６８及び収容溝１６９に夫々収容される。これらバネ部１３４及びバネ部２０４は収容溝１６８及び収容溝１６９内で変形・変位可能であるので、バネ部１３４及びバネ部２０４により支持されている接点部１３２及び検知接点部２０２も主として上下方向（Ｚ方向）に変位可能である。
【００２７】
図４に最もよく示されているように、本実施の形態による接点部１３２及び検知接点部２０２は、初期状態（未嵌合状態）において、主面１６７から下方（−Ｚ側）に突出している。即ち、接点部１３２及び検知接点部２０２は、同方向に突出している。
【００２８】
本実施の形態による検知ピン２００の検知接点部２０２及びバネ部２０４の幅（Ｙ方向のサイズ）は、コンタクト１３０の接点部１３２及びバネ部１３４の幅（Ｙ方向のサイズ）の半分以下である。即ち、本実施の形態による検知ピン２００は、コンタクト１３０よりも細い。
【００２９】
本実施の形態による検知ピン２００は、コンタクト１３０のうち、グランドコンタクト１３０ｇの外側に設けられている。即ち、検知ピン２００は、他のコンタクト１３０よりもグランドコンタクト１３０ｇに近い位置に設けられている。そのため、検知接点部２０２とグランドコンタクト１３０ｇの接点部１３２との間の距離は、検知接点部２０２とグランドコンタクト１３０ｇ以外のコンタクト１３０の接点部１３２との間の距離よりも短い。
【００３０】
図７に最もよく示されているように、本実施の形態による検知ピン２００のＹ方向外側（図において＋Ｙ側）のエッジからグランドコンタクト１３０ｇのＹ方向内側（図において−Ｙ側）のエッジまでの距離は、特殊グランドコンタクト５３０ｇのＹ方向のサイズ（所定幅）以下である。従って、ＵＳＢレセプタクル１００に対して特殊ＵＳＢプラグ５００を嵌合した際に、特殊グランドコンタクト５３０ｇはグランドコンタクト１３０ｇ及び検知ピン２００の双方と接続することができる。即ち、本実施の形態においては、特殊グランドコンタクト５３０ｇのうち検知ピン２００と接触する部位が相手側接触部となる。換言すると、検知ピン２００は、ＵＳＢレセプタクル１００に対して特殊ＵＳＢプラグ５００を嵌合した際に、相手側接触部（特殊グランドコンタクト５３０ｇの一部）に接触可能な位置に設けられている。
【００３１】
また、図４及び図７から理解されるように、検知ピン２００の検知接点部２０２は、グランドコンタクト１３０ｇの接点部１３２よりも後方（−Ｘ側）に位置している。即ち、本実施の形態によるＵＳＢレセプタクル１００が特殊ＵＳＢプラグと嵌合する際には、特殊グランドコンタクト５３０ｇにグランドコンタクト１３０ｇが接続した後に検知ピン２００が特殊グランドコンタクト５３０ｇと接続するように構成されている。
【００３２】
図７から予想されるように、本実施の形態によるＵＳＢレセプタクル１００に対して標準ＵＳＢプラグ（図示せず）を嵌合した場合には、検知ピン２００の検知接点部２０２は標準ＵＳＢプラグの保持部材の板状部上に接触することとなり、導通が得られない。従って、検知ピン２００が特殊グランドコンタクト５３０ｇと導通したか否かをモニタすることにより、ＵＳＢレセプタクル１００に対して嵌合したＵＳＢプラグが特殊ＵＳＢプラグ５００であるか標準ＵＳＢプラグ（図示せず）であるかを判断することができる。
【００３３】
上述したような構成を備えるＵＳＢレセプタクル１００、特殊ＵＳＢプラグ５００及び標準ＵＳＢプラグ（図示せず）を用いると、デバイスの必要電力に応じた電力制御をおこなうことができる。詳しくは、例えば、通常の電力供給で足りるデバイスには標準ＵＳＢプラグ（図示せず）を用いる一方、外付けハードディスクドライブのような大電力を要するデバイスには特殊ＵＳＢプラグ５００を用いることとする。その上で、ＵＳＢレセプタクル１００に対して特殊ＵＳＢプラグ５００が挿入された場合には、ＵＳＢレセプタクル１００の有する電源コンタクト１３０ｐとグランドコンタクト１３０ｇとを用いて大電力を伝送し、ＵＳＢレセプタクル１００に対して標準ＵＳＢプラグ（図示せず）が挿入された場合には、ＵＳＢレセプタクル１００の有する電源コンタクト１３０ｐとグランドコンタクト１３０ｇとを用いて相対的に低い通常の電力を伝送することができる。
【００３４】
上述した実施の形態において、ＵＳＢレセプタクル１００及び特殊ＵＳＢプラグ５００はＵＳＢ３．０規格をベースにしたものであったが、本発明はこれに限定されるわけではなく、ＵＳＢ２．０をベースにして構成されていてもよい。また、一方がＵＳＢ２．０規格をベースにしたものであり、他方がＵＳＢ３．０規格をベースにしたものであってもよい。
【００３５】
上述した実施の形態によるＵＳＢレセプタクル１００において、保持部材１５０は、第１部材１６０及び第２部材１７０を組み合わせてなるものであったが、本発明はこれに限定されるわけではなく、第１部材１６０及び第２部材１７０を予め一体に形成することとしてもよい。更に、ロケータ部１７２のみを保持部材１５０から分離することとしてもよい。
【００３６】
上述した実施の形態によるＵＳＢレセプタクル１００において、コンタクト１３０及び検知ピン２００は第１部材１６０に圧入固定され、付加的なコンタクト１４０はインサートモールド法により第１部材１６０に組み込まれていたが、本発明はこれらの組み込み方法に限定されるわけではなく、それぞれ異なる方法によって第１部材１６０に組み込まれていてもよい。
【００３７】
また、上述した実施の形態において、検知ピン２００は１つであったが、サイズ的に設けることが可能である場合には複数あってもよい。
【００３８】
更に、上述した実施の形態によるＵＳＢレセプタクル１００は、リバースタイプのものであったが、本発明はこれに限定されるわけではなく、ノーマルタイプのものであってもよい。
【符号の説明】
【００３９】
１００        ＵＳＢレセプタクル
１１０        コネクタ本体
１２０        シェル
１３０        コンタクト
１３０ｇ      グランドコンタクト
１３０ｐ      電源コンタクト
１３２        接点部
１３４        バネ部
１３６        被固定部
１３８        端子部
１４０        付加的なコンタクト
１４２        接点部
１４８        端子部
１５０        保持部材
１６０        第１部材
１６２        固定部
１６５        板状部
１６７        主面
１６８        収容溝
１６９        収容溝
１７０        第２部材
１７２        ロケータ部
１７４        位置決め孔
２００        検知ピン
２０２        検知接点部
２０４        バネ部
２０６        被固定部
２０８        端子部
５００        特殊ＵＳＢプラグ
５２０        シェル
５３０        コンタクト
５３０ｇ      特殊グランドコンタクト（相手側接触部）
５３０ｐ      電源コンタクト
５４０        コンタクト
５５０        保持部材
５５５        板状部
５５７        主面
【図１】
0005826673.tif 000002
【図２】
0005826673.tif 000003
【図３】
0005826673.tif 000004
【図４】
0005826673.tif 000005
【図５】
0005826673.tif 000006
【図６】
0005826673.tif 000007
【図７】
0005826673.tif 000008